(57)【要約】      （修正有）【課題】撮像機能を維持したまま、撮像装置の中で主要な熱発生源の１つである無線通信部を止め、熱発生源を減らした状態で、別の無線で接続することにより、熱の発生を抑制しつつ無線接続を維持して、画像転送を自動で再開することを可能にした無線通信機能を備える撮像装置を提供する。【解決手段】撮像手段と第１の無線通信手段が同時に動作している時に、撮像手段で撮像した画像情報を第１の無線通信手段で転送し、温度検出手段が第１の所定の温度を検出したら、撮像手段の動作を止めることなく、第１の無線通信手段の動作を停止させ、温度検出手段が第２の所定の温度を検出したら、第２の無線通信手段で、第１の無線通信手段で再接続するための情報を伝送し、第１の無線通信手段で再接続して、画像情報を転送する。【選択図】図２
2017224916.tif 000002
【特許請求の範囲】
【請求項１】
第１の無線通信手段（１０３）と、
第１の無線通信手段（１０３）と同じ通信相手である対向機器（１０２）と通信し、第１の無線通信手段（１０３）より消費電力が少ない、第２の無線通信手段（１０４）と、
撮像手段（１０８）と、
温度を検出する温度検出手段（１０７）と、
を有し、
第１の無線通信手段（１０３）は、
撮像手段（１０８）で撮像した画像情報を転送し、
温度検出手段（１０７）が第1の所定の温度を検出したら、
第１の無線通信手段（１０３）で
第１の無線通信手段（１０３）の切断通知を送信し、第１の無線通信手段（１０３）の動作を停止させ、
温度検出手段（１０７）が第1の所定の温度より低い、第2の所定の温度を検出したら、
第２の無線通信手段（１０４）で、
第１の無線通信手段（１０３）での接続を確立するための接続確立情報を送信し、
第１の無線通信手段（１０３）で再接続するための再接続要求を行い、
第１の無線通信手段（１０３）で再接続して、前記画像情報の転送を再開することを特徴とする撮像装置（１０１）。
【請求項２】
第１の無線通信手段（１０３）と第２の無線通信手段（１０４）は排他的に同じ対向機器（１０２）と接続し、
温度検出手段（１０７）が第１の所定の温度を検出したら、
第１の無線通信手段（１０３）で
第１の無線通信手段（１０３）の切断通知を送信し、第１の無線通信手段（１０３）の動作を停止させ、
第１の無線通信手段（１０３）の停止後に、第２の無線通信手段（１０４）で接続し、
温度検出手段（１０７）が第1の所定の温度より低い、第2の所定の温度を検出したら、
第２の無線通信手段（１０４）で、
第１の無線通信手段（１０３）での接続を確立するための接続確立情報を送信し、
第１の無線通信手段（１０３）で再接続するための再接続要求を行い、
第２の無線通信手段（１０４）の切断通知を送信し、
第２の無線通信手段（１０４）の動作を停止させ、
第１の無線通信手段（１０３）で再接続して、前記画像情報の転送を再開することを特徴とする請求項１に記載の撮像装置（１０１）。
【請求項３】
温度検出手段（１０７）が第１の所定の温度を検出するまでは、第１の無線通信手段（１０３）と第２の無線通信手段（１０４）は同時に同じ対向機器（１０２）と接続し、温度検出手段（１０７）が第1の所定の温度より低い、第2の所定の温度を検出しても、第２の無線通信手段（１０４）を切断しないことを特徴とする請求項１に記載の撮像装置（１０１）。
【請求項４】
第２の無線通信手段（１０４）を用いて通信相手である対向機器（１０２）に、温度情報を通知することを特徴とする請求項２又は請求項３に記載の撮像装置（１０１）。
【請求項５】
前記第１の無線通信手段（１０３）と第２の無線通信手段（１０４）は、撮像装置（１０１）の状態を示す情報を伝送することを特徴とする請求項２乃至請求項４の何れか一項に記載の撮像装置（１０１）。
【請求項６】
前記第１の無線通信手段（１０３）と第２の無線通信手段（１０４）は、撮像装置（１０１）を制御する制御情報を通信することを特徴とする請求項２乃至請求項５の何れか一項に記載の撮像装置（１０１）。
【請求項７】
前記温度検出手段（１０７）が第１の所定の温度、或いは、第２の所定の温度を検出したら、通信相手である対向機器（１０２）に、各温度に対応する注意表示を表示させることを特徴とする請求項２乃至請求項６の何れか一項に記載の撮像装置（１０１）。
【発明の詳細な説明】
【技術分野】
【０００１】
本発明は、撮像装置に関し、特に複数の無線通信部を備えた撮像装置に関する。
【背景技術】
【０００２】
従来、無線ＬＡＮを利用する無線通信システムを備えた装置において、無線通信部は動作時に発熱量が大きく、発生した熱の影響で装置が誤動作してしまうという課題があった。
【０００３】
特許文献１には、無線部で発生した熱を、実装構成の工夫により撮像素子や制御系素子への影響を抑える構成が開示されている。
【０００４】
無線の発熱に関して、近年、「Bluetooth Low Energy（商標）」（以下BLEと表記）や「ZigBee（商標）」のように伝送レートが低い代わりに、低消費電力で動作可能な技術が登場してきている。例えば、従来の無線ＬＡＮ技術であれば、（IEEE802.11ｇの場合）54Mbpsの伝送レートで連続動作時の消費電力は数百mW程度である。一方、ＢＬＥ（商標）であれば、1Mbpsの伝送レートで間欠動作時の消費電力は50μW〜1ｍWであり、ボタン電池１つで数年動作するようなデバイスを実現する技術である。しかし、伝送レートが低いため、用途が限定される技術である。
【０００５】
また、特許文献２には、カメラ装置の内部の温度上昇を検知し、熱発生源となる機能を制限することで装置内部の温度上昇を抑え、故障や低寿命を防止しするという方法が開示されている。
【先行技術文献】
【特許文献】
【０００６】
【特許文献１】特開２０１３−５３２３号公報
【特許文献２】特開２００７−２８１９６５号公報
【発明の概要】
【発明が解決しようとする課題】
【０００７】
しかしながら、上述の特許文献１に開示された従来技術では、発生した熱の影響を抑えるために、無線通信部の配置が制限されてしまい、特に装置の小型化や、部品の追加による機能の追加をした場合に実施できない場合がある。
【０００８】
また、上述の特許文献２に開示された従来技術では、ネットワーク接続された撮像装置（１０１）の内部の温度上昇を抑制するために、撮像装置（１０１）のメカ駆動部の動作を止めてスタンバイ状態に移行する。
【０００９】
しかし、主要な熱発生源の１つであるネットワーク接続部は動作させたままであり、温度上昇の抑制が不十分である。もしネットワーク接続部の動作を止めてしまうと、撮像装置（１０１）を遠隔制御できなくなるという課題がある。
【００１０】
そこで、本発明の目的は、撮像機能を維持したまま、撮像装置の中で主要な熱発生源の１つである無線通信部を止め、熱発生源を減らした状態で、別の無線で接続することにより、熱の発生を抑制しつつ無線接続を維持して、画像転送を自動で再開することを可能にした無線通信機能を備える撮像装置を提供することにある。
【課題を解決するための手段】
【００１１】
上記の目的を達成するために、本発明に係る撮像装置は、
第１の無線通信手段（１０３）と、
第１の無線通信手段（１０３）と同じ通信相手である対向機器（１０２）と通信し、第１の無線通信手段（１０３）より消費電力が少ない、第2の無線通信手段（１０４）と、
撮像手段（１０８）と、
温度を検出する温度検出手段（１０７）と、を有し、
第１の無線通信手段（１０３）は、
撮像手段（１０８）で撮像した画像情報を転送し、
温度検出手段（１０７）が第1の所定の温度を検出したら、
第１の無線通信手段（１０３）で
第１の無線通信手段（１０３）の切断通知を送信し、第１の無線通信手段（１０３）の動作を停止させ、
温度検出手段（１０７）が第1の所定の温度より低い、第2の所定の温度を検出したら、
第2の無線通信手段（１０４）で、
第１の無線通信手段（１０３）での接続を確立するための接続確立情報を送信し、
第１の無線通信手段（１０３）で再接続するための再接続要求を行い、
第１の無線通信手段（１０３）で再接続して、前記画像情報の転送を再開することを特徴とする。
【発明の効果】
【００１２】
本発明によれば、撮像機能を維持したまま、撮像装置の中で主要な熱発生源の１つである無線通信部を止め、熱発生源を減らした状態で、別の無線で接続することにより、熱の発生を抑制しつつ無線接続を維持して、画像転送を自動で再開することを可能にした無線通信機能を備える撮像装置を提供することができる。
【図面の簡単な説明】
【００１３】
【図１】本発明の第１の実施例における撮像装置の構成例を示すブロック図である。
【図２】本発明の最適な実施形態における機器の動作および表示と、機器間での通信手段の切り替えについての概略である。
【図３】本発明の第１の実施例における無線接続の流れを示すフローチャートである。
【図４】本発明の第２の実施例における無線接続の流れを示すフローチャートである。
【図５】本発明の第３の実施例における無線接続の流れを示すフローチャートである。
【図６】本発明の第１の実施例における無線で通信されるデータについて説明した図である。
【図７】本発明の第１の実施例における撮像装置の温度変化と通信手段の切り替えの様子である。
【図８】本発明の第７の実施例における機器の動作および表示と、機器間での通信手段の切り替えについての概略である。
【発明を実施するための形態】
【００１４】
以下に、本発明の好ましい実施例を、添付の図面に基づいて説明する。
【実施例１】
【００１５】
図１は本実施例の撮像装置（１０１）の構成例を示すブロック図である。
【００１６】
本実施例は撮像装置（１０１）に関するが、撮像装置（１０１）と通信する対向機器（１０２）が存在していることを前提とする。撮像装置（１０１）としては、例えば、デジタルカメラ、一眼レフカメラなどの画像を取得可能な機器であり、対向機器（１０２）としては、通信機能を備えている装置であり、スマートフォンやタブレット型端末、ウェアラブル機器等である。
【００１７】
撮像装置（１０１）は第１の無線通信手段（１０３）と第２の無線通信手段（１０４）で対向機器（１０２）と接続する。第１の無線通信手段（１０３）は、第１の無線通信用アンテナを備える。第２の無線通信手段（１０４）は、第２の無線通信用アンテナを備える。第２の無線通信手段（１０４）は、第１の無線通信手段（１０３）よりも無線動作時の消費電力が少ない、即ち、第１の無線通信手段（１０３）よりも発熱量が小さい事を特徴としている。
【００１８】
また、撮像装置（１０１）は温度検出手段（１０７）、撮像手段（１０８）、制御部（１０９）を備えており、温度検出手段（１０７）は撮像装置（１０１）内の温度を検出するためのブロックであり、温度計などにより構成され、検出した温度を制御部（１０９）に伝送する。温度計は、撮像装置（１０１）内で、第１の無線通信手段（１０３）の温度や、その他の熱発生源の温度を検出できる位置に配置する。
【００１９】
撮像手段（１０８）は画像を取得するためのブロックであり、イメージセンサー等により構成され、取得した画像を制御部（１０９）に伝送する。
【００２０】
制御部（１０９）は、無線通信部の動作の制御や、温度検出手段（１０７）で検出した温度の判定、撮像手段（１０８）で取得した画像を無線通信部に送る、といった機能を備えるブロックであり、マイコンなどにより構成される。
【００２１】
本実施形態における、撮像装置（１０１）としての一眼レフカメラと、対向機器（１０２）としてのスマートフォンの動作および表示と、機器間での通信手段の切り替えについて概略を説明したのが図２である。
【００２２】
撮像装置（１０１）と対向機器（１０２）は、まず第１の無線通信手段（１０３）として無線ＬＡＮにより接続され、第１の無線通信手段（１０３）により撮像装置（１０１）から対向機器（１０２）へ画像情報が転送される。そして、対向機器（１０２）の表示装置上に画像が表示される。同時に、対向機器（１０２）から撮像装置（１０１）へは、撮像装置（１０１）の制御情報が伝わる。そうして、スマートフォン側でカメラで取得したライブビュー画像を確認しながらカメラの制御（撮像等）をする事が出来る。この時、第２の無線通信手段（１０４）が接続されていてもよい。
【００２３】
次に、第１の無線通信手段（１０３）による接続と撮像手段（１０８）による画像取得を続けると、撮像装置（１０１）の温度が上昇していく。温度検出手段（１０７）が第１の所定の温度を超えたことを検出したら、撮像装置（１０１）から対向機器（１０２）へ、第２の無線通信手段（１０４）としてのＢＬＥ（商標）による通信の接続要求と、第１の無線通信手段（１０３）の切断要求を第１の無線通信手段（１０３）で通信する。
【００２４】
そうして、第２の無線通信手段（１０４）で、撮像装置（１０１）と対向機器（１０２）が無線接続される。この時、第２の無線通信手段（１０４）では撮像装置（１０１）の温度情報や制御情報のみを通信し、画像情報は通信しない。そのため、対向機器（１０２）の表示装置にはカメラで取得したライブビュー画像が表示されなくなる。その際、第１の無線通信手段（１０３）を一時的に停止したという事や、撮像装置（１０１）の温度が上昇したという警告表示を出してもよい。
【００２５】
しばらく時間が経過したら、撮像装置（１０１）の温度が下降していく。温度検出手段（１０７）が撮像装置（１０１）が第２の所定の温度以下になったことを検出したら、撮像装置（１０１）から対向機器（１０２）へ、第１の無線通信手段（１０３）の接続要求を第２の無線通信手段（１０４）で通信する。
【００２６】
そして、第１の無線通信手段（１０３）で再接続を行い、撮像装置（１０１）から対向機器（１０２）へ画像情報の転送を再開する。その結果、スマートフォン側でカメラで取得したライブビュー画像の取得を自動で再開出来る。そうして、スマートフォン側でカメラで取得したライブビュー画像を確認しながらカメラの制御（撮像等）をする事が出来る。
【００２７】
尚、ライブビュー画像が表示されていない期間においても、撮像装置（１０１）では撮像手段（１０８）で撮像を継続している事も本発明の特徴の１つである。
【００２８】
本実施例における、撮像装置（１０１）と撮像装置（１０１）の通信部の動作について説明したフローチャートが図３である。
【００２９】
本実施例では、第１の無線通信手段（１０３）として、例えば、国際標準規格であるIEEE ８０２.１１規格を使用した２．４GHｚ帯の無線通信（無線ＬＡＮ規格等）で通信をすることで画像転送を行う。
【００３０】
第２の無線通信手段（１０４）は、第１の無線通信手段（１０３）に比べて消費電力が小さいＢＬＥ（商標）やZigBee（商標）等の通信規格、その規格に対応した通信モジュールを使う。そうする事により無線ＬＡＮ等の規格に対して消費電力をおおよそ１/100に低減でき、発熱量を小さくできる。ただし、消費電力が小さい分、伝送可能な情報量も小さくなるため、第２の無線通信手段（１０４）は画像等の大きなデータは送信せず、文字情報や通信時の接続コマンドを通信するような使い方をする。そのような低消費電力な通信方式を選ぶ。
【００３１】
第２の無線通信手段（１０４）としては、第１の無線通信手段（１０３）に比べて消費電力が小さいＢＬＥ（商標）規格で通信を行う。この場合、第１の無線通信手段（１０３）と、第２の無線通信手段（１０４）はどちらも、２．４GHｚ帯を使用した無線通信であり、２つの異なるモジュールで同時に通信を行うと干渉して通信品質が低下することがある。そのため、第１の無線通信手段（１０３）と、第２の無線通信手段（１０４）を排他して干渉を防ぐように動作させる構成を特徴とする。
【００３２】
撮像装置（１０１）で撮像した画像を第１の無線通信手段（１０３）で通信するために、まず、第１のステップ（Ｓ３０１）として第１の無線通信手段（１０３）で対向機器（１０２）と接続を行う。
【００３３】
次に、第２のステップ（Ｓ３０２）として撮像手段（１０８）で撮像をスタートし、撮像した画像を制御部（１０９）で取り込んだ後、第３のステップ（Ｓ３０３）として第１の無線通信手段（１０３）により、対向機器（１０２）に送信する。例えば、デジタルカメラで動画の撮影を行い、撮影している画像を通信相手である対向機器（１０２）であるスマートフォンにライブビュー表示させるために、画像を無線で送信する動作などが考えられる。
【００３４】
第１の無線通信手段（１０３）で画像データを通信することにより、第１の無線通信手段（１０３）は発熱し、撮像装置（１０１）の温度が上昇していく。
【００３５】
第１の無線通信手段（１０３）で画像を転送し始めたら、第４のステップ（Ｓ３０４）として、温度検出手段（１０７）で撮像装置（１０１）内の温度をモニタリングして閾値以上かどうかの判定を行う。モニタリングした温度が、予め決めておいた第１の所定の温度より低ければ（Ｎｏ判定）、そのまま第３のステップ（Ｓ３０３）に戻り、撮像した画像の転送を続ける。モニタリングした温度が、第１の所定の温度以上であれば（Ｙｅｓ判定）、第５のステップ（Ｓ３０５）に進み、撮像した画像の転送を中断する。転送中断中の撮像した画像は撮像装置（１０１）の装置内に保存しておいてもよい。また、第１の無線通信手段（１０３）で第２の無線通信手段（１０４）での接続を確立するための接続確立情報と接続要求を行う。
【００３６】
第６のステップ（Ｓ３０６）として、第１の無線通信手段（１０３）で第１の無線通信手段（１０３）の切断通知を送信する。そして、撮像手段（１０８）は動作させたまま、第１の無線通信手段（１０３）の動作を止める。第１の無線通信手段（１０３）の動作を止めることにより、第１の無線通信手段（１０３）の発熱が止まり、温度が下降していく。
【００３７】
第７のステップ（Ｓ３０７）として、第２の無線通信手段（１０４）で対向機器（１０２）と接続する。
【００３８】
第２の無線通信手段（１０４）としてＢＬＥ（商標）規格であれば、スマートフォン等の対向機器（１０２）側がセントラルとして機能するので、撮像装置（１０１）側がペリフェラルとして、アドバタイジングを発信し、対向機器（１０２）がそれを受信すれば通信が確立できる。そのため、事前に撮像装置（１０１）と対向機器（１０２）の設定が完了していれば、第６のステップ（Ｓ３０６）の第２の無線通信手段（１０４）での接続を確立するための接続確立情報と接続要求を省くことも可能である。
【００３９】
また、第１の無線通信手段（１０３）の動作を止めるまで第２の無線通信手段（１０４）を停止させておくことで、僅かではあるが、第２の無線通信手段（１０４）の熱の発生も抑えておく事が出来る。
【００４０】
このように、第１の無線通信手段（１０３）の停止後に、第２の無線通信手段（１０４）で接続しておくことで、撮像装置（１０１）と対向機器（１０２）とのリンクが切断してしまう事を防ぐ。
【００４１】
次に、第８のステップ（Ｓ３０８）として、温度検出手段（１０７）で撮像装置（１０１）内の温度をモニタリングして閾値以下かどうかの判定を行う。温度検出手段（１０７）でモニタリングした温度が、第１の所定の温度よりも低い予め決めておいた第２の所定の温度以上であれば（Ｎｏ判定）、撮像手段（１０８）は動作しつつ第１の無線通信手段（１０３）を停止させた状態を維持する。温度検出手段（１０７）でモニタリングした温度が、第２の所定の温度より低くなったら（Ｙｅｓ判定）、第９のステップ（Ｓ３０９）に進む。第２の無線通信手段（１０４）で対向機器（１０２）に、第1の無線通信手段（１０３）での接続を確立するための接続確立情報を送信し、第1の無線通信手段で再接続するための再接続要求を行う。この時、対向機器（１０２）に正常に、接続確立情報と再接続要求を送信できたことが確認できたら、第１０のステップ（Ｓ３１０）として、第２の無線通信手段（１０４）で、第２の無線通信手段（１０４）の切断通知を送信し、第２の無線通信手段（１０４）を停止させる。
【００４２】
その後、第１１のステップ（Ｓ３１１）として、第１の無線通信手段（１０３）で再接続し、第９のステップ（Ｓ３１２）として、継続していた撮像手段（１０８）で撮像した画像の転送を自動で再開する。
【００４３】
本実施形態における、撮像装置（１０１）と対向機器（１０２）としてのスマートフォンとの間で無線で通信されるデータについて説明したのが図６である。
【００４４】
撮像装置（１０１）と対向機器（１０２）は、まず第１の無線通信手段（１０３）として無線ＬＡＮにより接続され、第１の無線通信手段（１０３）により撮像装置（１０１）から対向機器（１０２）へ画像情報が転送される。同時に、対向機器（１０２）から撮像装置（１０１）へは、撮像装置（１０１）の制御情報が伝わる。そうして、スマートフォン側でカメラで取得したライブビュー画像を確認する事が出来る。
【００４５】
次に、第１の無線通信手段（１０３）による接続と撮像手段（１０８）による画像取得を続けると、撮像装置（１０１）の温度が上昇していく。温度検出手段（１０７）が第１の所定の温度を超えたことを検出したら、撮像装置（１０１）から対向機器（１０２）へ、第２の無線通信手段（１０４）としてのＢＬＥ（商標）による通信の接続要求と、第１の無線通信手段（１０３）の切断要求を第１の無線通信手段（１０３）で通信する。
【００４６】
次に、第２の無線通信手段（１０４）により、撮像装置（１０１）から対向機器（１０２）へ温度情報を通信する。
【００４７】
しばらく時間が経過したら、撮像装置（１０１）の温度が下降していく。温度検出手段（１０７）が撮像装置（１０１）が第２の所定の温度以下になったことを検出したら、撮像装置（１０１）から対向機器（１０２）へ、第１の無線通信手段（１０３）の接続要求を第２の無線通信手段（１０４）で通信する。
【００４８】
そして、第１の無線通信手段（１０３）で再接続を行い、撮像装置（１０１）から対向機器（１０２）へ画像情報の転送を再開する。その結果、スマートフォン側でカメラで取得したライブビュー画像の取得を自動で再開出来る。
【００４９】
本実施形態における、撮像装置（１０１）の温度変化と通信手段の切り替えの様子を説明したのが図７である。
【００５０】
第１の無線通信手段（１０３）で画像転送を行うと、温度が上昇していく。温度検出手段（１０７）が第１の所定の温度を超えたことを検出したら、画像転送を中断し、第２の無線通信手段（１０４）としてのＢＬＥ（商標）に切り替える。それにより、撮像装置（１０１）の温度が下降していく。
【００５１】
しばらく時間が経過し、温度検出手段（１０７）が撮像装置（１０１）が第２の所定の温度以下になったことを検出したら、第１の無線通信手段（１０３）で再接続を行い、撮像装置（１０１）から対向機器（１０２）へ画像情報の転送を再開する。
【００５２】
このようにして、撮像装置（１０１）の温度上昇時に、第１の無線通信手段（１０３）を切断しても、第２の無線通信手段（１０４）で機器間の接続を維持することで、撮像装置（１０１）の温度降下時に自動で、第１の無線通信手段（１０３）を再接続し、画像の送信（ライブビュー表示）を再開することができる。
【実施例２】
【００５３】
本実施例における、撮像装置（１０１）と通信部の動作について説明したフローチャートが図４である。
【００５４】
構成例を示すブロック図、及び、通信データ、装置の温度変化については実施例１と同じなので説明を省略する。
【００５５】
本実施例では、実施例１と同じく、第１の無線通信手段（１０３）として、国際標準規格であるIEEE ８０２.１１規格を使用した２．４GHｚ帯の無線通信、第２の無線通信手段（１０４）としては、ＢＬＥ（商標）規格で通信を行う。ただし、実施例１とは異なり、第１の無線通信手段（１０３）と、第２の無線通信手段（１０４）との間で干渉を抑える構成を備えた撮像装置（１０１）の動作について説明する。
【００５６】
例えば、第１の無線通信手段（１０３）と、第２の無線通信手段（１０４）の干渉は、２つのアンテナ間距離を物理的に離したり、１つの制御チップから２つの無線電波の送受信タイミングを時分割して干渉しないように制御したりすることで実現可能である。
【００５７】
本実施例は実施例１と異なり、第１の無線通信手段（１０３）と、第２の無線通信手段（１０４）が同時動作可能な構成を特徴とする。同時動作させることにより、実施例１に対して第２の無線通信手段（１０４）の接続時間や切断時間を待たずに次の動作に進めるため、無線通信手段の切り替え時間が早くなるというメリットがある。
【００５８】
撮像装置（１０１）で撮像した画像を第１の無線通信手段（１０３）で通信するために、まず、第１のステップ（Ｓ４０１）として第１の無線通信手段（１０３）と第２の無線通信手段（１０４）で対向機器（１０２）と接続を行う。次に、第２のステップ（Ｓ４０２）として撮像手段（１０８）で撮像をスタートし、撮像した画像を制御部（１０９）で取り込んだ後、第３のステップ（Ｓ４０３）として第１の無線通信手段（１０３）により、対向機器（１０２）に送信する。
【００５９】
第１の無線通信手段（１０３）で画像データを通信することにより、第１の無線通信手段（１０３）は発熱し、撮像装置（１０１）の温度が上昇していく。
【００６０】
第１の無線通信手段（１０３）で画像を転送し始めたら、第４のステップ（Ｓ４０４）として、温度検出手段（１０７）で撮像装置（１０１）内の温度をモニタリングして閾値以上かどうかの判定を行う。モニタリングした温度が、予め決めておいた第１の所定の温度より低ければ（Ｎｏ判定）、そのまま第３のステップ（Ｓ４０３）に戻り、撮像した画像の転送を続ける。モニタリングした温度が、第１の所定の温度以上であれば（Ｙｅｓ判定）、第５のステップ（Ｓ４０５）に進み、撮像した画像の転送を中断する。転送中断中の撮像した画像は撮像装置（１０１）の装置内に保存しておいてもよい。この時、予め接続しておいた、第２の無線通信手段（１０４）は接続を維持しておく。
【００６１】
また、第１の無線通信手段（１０３）で第１の無線通信手段（１０３）の切断通知を送信する。そして、撮像手段（１０８）は動作させたまま、第１の無線通信手段（１０３）の動作を止める。第１の無線通信手段（１０３）の動作を止めることにより、第１の無線通信手段（１０３）の発熱が止まり、温度が下降していく。
【００６２】
ここで、第１の無線通信手段（１０３）の停止後に、第２の無線通信手段（１０４）で接続を維持しておくことで、撮像装置（１０１）と対向機器（１０２）とのリンクが切断してしまう事を防ぐ。
【００６３】
第６のステップ（Ｓ４０６）として、温度検出手段（１０７）で撮像装置（１０１）内の温度をモニタリングして閾値以下かどうかの判定を行う。温度検出手段（１０７）でモニタリングした温度が、第１の所定の温度よりも低い予め決めておいた第２の所定の温度以上であれば（Ｎｏ判定）、撮像手段（１０８）は動作しつつ第１の無線通信手段（１０３）を停止させた状態を維持する。温度検出手段（１０７）でモニタリングした温度が、第２の所定の温度より低くなったら（Ｙｅｓ判定）、第７のステップ（Ｓ４０７）に進む。第２の無線通信手段（１０４）で対向機器（１０２）に、第1の無線通信手段（１０３）での接続を確立するための接続確立情報を送信し、第1の無線通信手段で再接続するための再接続要求を行う。
【００６４】
その後、第８のステップ（Ｓ４０８）として、第１の無線通信手段（１０３）で再接続し、第９のステップ（Ｓ４０９）として、継続していた撮像手段（１０８）で撮像した画像の転送を自動で再開する。
【００６５】
そうして、撮像装置（１０１）の温度上昇時に、第１の無線通信手段を切断しても、第２の無線通信手段（１０４）で機器間の接続を維持することで、撮像装置（１０１）の温度降下時に自動で、第１の無線通信手段を再接続し、画像の送信（ライブビュー表示）を再開することができる。
【実施例３】
【００６６】
本実施例における、撮像装置（１０１）と通信部の動作について説明したフローチャートが図５である。
【００６７】
構成例を示すブロック図、及び、通信データ、装置の温度変化については実施例１と同じなので説明を省略する。
【００６８】
実施例１に加えて、第８のステップ（Ｓ５０８）が追加されている。具体的には、第１の無線通信手段（１０３）を切断時に、第２の無線通信手段（１０４）で撮像装置（１０１）の温度情報を、対向機器（１０２）に繰り返し通知する事を特徴とする。例えば、第２の無線通信手段（１０４）でＢＬＥ（商標）規格の通信を用いれば、画像情報を送るには伝送速度が足りないが、１秒間隔で温度情報を通信する事ならば伝送速度としても十分可能である。そうすることで、対向機器（１０２）側で第１の無線通信手段（１０３）が再接続できるようになるまで、あとどのくらい温度が低下するのを待てばよいかがわかる。即ち、第１の無線通信手段（１０３）が再接続されて、画像転送が再開するまでの時間をスマートフォン等の対向機器（１０２）側で推定することが可能となり、ユーザーの利便性が向上する。
【００６９】
尚、本実施例は実施例１に追加する内容で説明したが、実施例２に対しても同様に、第２の無線通信手段（１０４）で撮像装置（１０１）の温度情報を、対向機器（１０２）に繰り返し通知する事は容易に実現できる。
【実施例４】
【００７０】
本実施例では、実施例１〜３の構成に加えて、第１の無線通信手段（１０３）と第２の無線通信手段（１０４）では、撮像装置（１０１）の状態を示す情報を伝送することを特徴とする。
【００７１】
構成例を示すブロック図、及び、通信データ、装置の温度変化については実施例１と同じなので説明を省略する。
【００７２】
撮像装置（１０１）の状態を示す情報としては、例えば、温度情報や、撮像装置（１０１）のバッテリー残量情報、記録メディアへの画像保存可能枚数情報、撮影モード情報、撮影設定等がある。これらの情報を通信する事により、従来は、第１の無線通信手段（１０３）が切断時は対向機器（１０２）から撮像装置（１０１）の状態を把握できなかったが、本実施例では、対向機器（１０２）から撮像装置（１０１）の状態を把握することができるようになる。
【実施例５】
【００７３】
本実施例では、実施例１〜４の構成に加えて、前記第１の無線通信手段（１０３）と第２の無線通信手段（１０４）は、撮像装置（１０１）を制御する制御情報を伝送することを特徴とする。
【００７４】
構成例を示すブロック図、及び、通信データ、装置の温度変化については実施例１と同じなので説明を省略する。
【００７５】
撮像装置（１０１）を制御する制御情報としては、例えば、撮影時のレリーズ信号、合焦動作、無線接続の切断/接続通知などを含む。
【００７６】
これらの情報を通信する事により、従来は、第１の無線通信手段（１０３）が切断時は対向機器（１０２）から撮像装置（１０１）をリモートで制御できなかったが、本実施例では、対向機器（１０２）から撮像装置（１０１）をリモートで制御することができるようになり、ユーザーの利便性が向上する。
【実施例６】
【００７７】
本実施例では、実施例１〜５の構成に加えて、温度検出手段（１０７）が第１の所定の温度、或いは、第２の所定の温度を検出したら、通信相手である対向機器（１０２）に、各温度に対応する注意表示を表示させることを特徴とする構成である。
【００７８】
構成例を示すブロック図、及び、通信データ、装置の温度変化については実施例１と同じなので説明を省略する。
【００７９】
例えば、温度検出手段（１０７）が第１の所定の温度を検出した場合、撮像は継続されるが、対向機器（１０２）への画像の送信は停止される。そのため、画像の送信を停止する前に、「カメラの温度が上昇しました」、「画像の表示を一時中断します、しばらくお待ちください」、「画像は表示されませんが、カメラの撮影は継続されます。」などの表示を行い、撮像が継続されていること、しばらく待てば、画像の転送も再開される事をユーザーに通知することで、ユーザーの利便性が向上する。
【００８０】
同様に、温度検出手段（１０７）が第２の所定の温度を検出した場合、第１の所定の温度を検出した場合の表示が対向機器（１０２）の表示に維持されていれば、それを消去する。また、「画像の表示を再開します」などの表示を行う。そうすることで、ユーザーの利便性が向上する。
【実施例７】
【００８１】
実施例１〜６では撮像装置（１０１）としてカメラを想定していたが、本実施例はの撮像装置（１０１）はカメラ付きのウェアラブル端末、例えば腕時計型の携帯端末に適用したものである。
【００８２】
本実施形態における、撮像装置（１０１）としてのウェアラブル端末と、対向機器（１０２）としてのスマートフォンの動作と、機器間での通信手段の切り替えについて概略を説明したのが図９である。
【００８３】
本実施例では、ウェアラブル端末を表示装置として、スマートフォンで公衆回線に接続し、テレビ電話を行う場合に適用される。
【００８４】
撮像装置（１０１）としてのウェアラブル端末と対向機器（１０２）としてのスマートフォンは、まず第１の無線通信手段（１０３）として無線ＬＡＮにより接続される。そして、ウェアラブル端末に搭載されたカメラ（１０８）で通話している本人の画像を撮影し、撮影された画像をスマートフォン経由で、テレビ電話の相手に伝送する。同時に、テレビ電話の相手の画像もスマートフォン経由でウェアラブル端末の表示装置上に表示される。また、ウェアラブル端末で撮影された通話している本人の画像もピクチャーインピクチャーとして、ウェアラブル端末の表示装置上に表示される。
【００８５】
また、音声情報も第１の無線通信手段（１０３）で同時に通信するが、第２の無線通信手段（１０４）として、ＢＬＥ（商標）でも接続している場合は、ＢＬＥ（商標）を使って伝送してもよい。
【００８６】
次に、テレビ電話を継続していると、ウェアラブル端末の温度が上昇してくる。そして、温度検出手段（１０７）が第１の所定の温度を超えたことを検出したら、撮像装置（１０１）から対向機器（１０２）へ、第２の無線通信手段（１０４）としてのＢＬＥ（商標）による通信の接続要求と、第１の無線通信手段（１０３）の切断要求を第１の無線通信手段（１０３）で通信する。
【００８７】
そうして、第２の無線通信手段（１０４）としてＢＬＥ（商標）のみで、ウェアラブル端末とスマートフォンが無線接続される。この時、第２の無線通信手段（１０４）ではウェアラブル端末の温度情報や制御情報、音声情報を通信し、画像情報は通信しない。そのため、ウェアラブル端末の表示部分にはスマートフォンから伝送されて来ていた、通話相手の画像情報が表示されなくなるが、音声通話は継続される。また、通話相手の画像が表示されなくなった時に、第１の無線通信手段（１０３）を一時的に停止したという事や、ウェアラブル端末の温度が上昇したという警告表示を出してもよい。ウェアラブル端末で撮影された自分自身の画像は無線通信を使っていないのでそのまま表示可能であり、表示される。
【００８８】
しばらく時間が経過したら、ウェアラブル端末の温度が下降していく。温度検出手段（１０７）がウェアラブル端末が第２の所定の温度以下になったことを検出したら、ウェアラブル端末からスマートフォンへ、第１の無線通信手段（１０３）の接続要求を第２の無線通信手段（１０４）で通信する。
【００８９】
そして、第１の無線通信手段（１０３）で再接続を行う。そうして、スマートフォンとウェアラブル端末間で画像情報の転送を再開する。その結果、ウェアラブル端末側でＴＶ通話相手の画像表示を自動で再開出来る。
【００９０】
尚、ウェアラブル端末側でＴＶ通話相手の画像を表示してない期間においても、音声通話を継続している事も本実施例の特徴の１つである。
【００９１】
以上、本発明の好ましい実施形態について説明したが、本発明はこれらの実施形態に限定されず、その要旨の範囲内で種々の変形及び変更が可能である。
【符号の説明】
【００９２】
１０１  撮像装置、１０２  対向機器、１０３  第１の無線通信手段、
１０４  第２の無線通信手段、１０７  温度検出手段、１０８  撮像手段、
１０９  制御部
【図１】
2017224916.tif 000003
【図２】
2017224916.tif 000004
【図３】
2017224916.tif 000005
【図４】
2017224916.tif 000006
【図５】
2017224916.tif 000007
【図６】
2017224916.tif 000008
【図７】
2017224916.tif 000009
【図８】
2017224916.tif 000010